(57)【要約】【課題】ケーブルにおけるグランドラインをより効率よく接地することができ、しかも、その製造コストを低減できること。【解決手段】フレキシブル配線基板１４における接地用電極端部１４ＧＡとコンタクトパッド群１４ＰＡとの間に形成される折り曲げ部分１４ＢＰは、接地用電極端部１４ＧＡがコンタクトパッド群１４ＰＡ側に対して折り畳み可能となるようにその幅方向に細長く、柔軟性を有しており、折り畳まれた接地用電極端部１４ＧＡが、コンタクト端子１８ａｉに電気的に接続され、また、コンタクトパッド群１４ＰＡがコンタクト端子１８ａｉに相対向して配されるコンタクト端子２０ａｉに電気的に接続されるもの。【選択図】図１
2007299683.tif 000002
【特許請求の範囲】
【請求項１】
信号をそれぞれ伝送する複数の信号ラインおよび接地される複数の接地ラインにおける少なくとも一端にそれぞれ形成されるコンタクトパッド群と、該コンタクトパッド群に対し共通の平面上に離隔して形成され該複数の接地ラインに導通する接地用電極端部と、該接地用電極端部が該コンタクトパッド群に対して折り曲げられ重なるように該接地用電極端部と該コンタクトパッド群との間に形成される折り曲げ部とを備える柔軟なケーブルの該接地用電極端部および該コンタクトパッド群が相対向して接合される一対の接続面を有する接続端部と、
前記一対の接続面の一方に接合された該接地用電極端部に対向して配され、該接地用電極端部に当接する接点部を有し信号入出力部に該接地用電極端部を電気的に接続する複数の第１のコンタクト端子と、
前記一対の接続面の他方に接合されたコンタクトパッド群に対向して配され該コンタクトパッド群に当接する接点部を有し前記信号入出力部に該コンタクトパッド群を電気的に接続する複数の第２のコンタクト端子と、
を具備して構成されるケーブルの接続構造。
【請求項２】
信号をそれぞれ伝送する複数の信号ラインにおける少なくとも一端にそれぞれ形成される第１のコンタクトパッド群と、該第１のコンタクトパッド群に対し共通の平面上に離隔して形成され該平面の下方の位置に千鳥掛け状に配列される複数の信号ラインが形成される導体層に導通する第２のコンタクトパッド群と、該第２のコンタクトパッド群が該第１のコンタクトパッド群に対して折り曲げられ重なるように該第２のコンタクトパッド群と該第１のコンタクトパッド群との間に形成される折り曲げ部とを備える柔軟なケーブルの該第１のコンタクトパッド群および該第２のコンタクトパッド群が相対向して接合される一対の接続面を有する接続端部と、
前記一対の接続面の一方に接合された該第１のコンタクトパッド群に対向して配され、該第１のコンタクトパッド群に当接する接点部を有し信号入出力部に該第１のコンタクトパッド群を電気的に接続する複数の第１のコンタクト端子と、
前記一対の接続面の他方に接合されたコンタクトパッド群に対向して配され該コンタクトパッド群に当接する接点部を有し前記信号入出力部に該コンタクトパッド群を電気的に接続する複数の第２のコンタクト端子と、
を具備して構成されるケーブルの接続構造。
【請求項３】
信号をそれぞれ伝送する複数の信号ラインおよび接地される複数の接地ラインにおける少なくとも一端にそれぞれ形成されるコンタクトパッド群と、該コンタクトパッド群に対し共通の平面上に離隔して形成され該複数の接地ラインに導通する接地用電極端部と、該接地用電極端部が該コンタクトパッド群に対して折り曲げられ重なるように該接地用電極端部と該コンタクトパッド群との間に形成される折り曲げ部とを備える柔軟なケーブルの該接地用電極端部および該コンタクトパッド群が相対向して接合される一対の接続面を有する結合部が設けられる雄型コネクタ部と、
前記雄型コネクタ部の結合部が着脱可能に配される凹部を有する嵌合部と、該凹部の周縁に前記ケーブルの接地用電極端部およびコンタクトパッド群にそれぞれ対向して配され、該接地用電極端部および該コンタクトパッド群に当接する接点部を有し信号入出力部に該接地用電極端部および該コンタクトパッド群をそれぞれ電気的に接続する複数の第１のコンタクト端子および第２のコンタクト端子と、を有する雌型コネクタ部と、
を具備して構成されるケーブル用コネクタ。
【請求項４】
前記ケーブルは、フレキシブル配線基板であることを特徴とする請求項１または請求項２記載のケーブルの接続構造。
【請求項５】
前記ケーブルは、フレキシブル配線基板であることを特徴とする請求項３記載のケーブル用コネクタ。
【請求項６】
前記雄型コネクタ部は、前記結合部に対し離隔した位置に、前記ケーブルの端部における該結合部の接続面に対する引き離しを規制する板状部を有することを特徴とする請求項５記載のケーブル用コネクタ。
【請求項７】
前記雄型コネクタ部は、該雄型コネクタ部を前記雌型コネクタ部に対して選択的にロック状態とするロックスプリングを備えることを特徴とする請求項５記載のケーブル用コネクタ。
【請求項８】
信号をそれぞれ伝送する複数の信号ラインおよび接地される複数の接地ラインにおける少なくとも一端にそれぞれ形成されるコンタクトパッド群と、
該コンタクトパッド群に対し共通の平面上に離隔して形成され該複数の接地ラインに導通する接地用電極端部と、
該接地用電極端部が該コンタクトパッド群に対して折り曲げられ重なるように該接地用電極端部と該コンタクトパッド群との間に形成される折り曲げ部とを備える柔軟なケーブルの該接地用電極端部および該コンタクトパッド群が相対向して接合される一対の接続面を有する結合部と、
が設けられていることを特徴とする雄型コネクタ。
【発明の詳細な説明】
【技術分野】
【０００１】
本発明は、少なくともケーブルの一端と配線基板の信号入出力部との間を電気的に接続できるケーブルの接続構造、それを備えるケーブル用コネクタ、および、雄型コネクタに関する。
【背景技術】
【０００２】
電子機器内部における電装部品相互間の電気的接続を行うにあたり、ケーブル用コネクタが実用に供されている。ケーブル用コネクタは、例えば、フラットケーブル（ＦＦＣ）、または、フレキシブル配線基板（ＦＰＣ；flexible printed circuit）を介してプリント配線基板に電装品を電気的に接続するケーブルの接続構造を備えるものとされる。
【０００３】
そのようなケーブルの接続構造は、例えば、特許文献１にも示されるように、ケーブルの一端が接続されるケーブル側の雄型コネクタ部と、プリント配線基板上に配される基板側の雌型コネクタ部とを含んで構成されている。
【０００４】
そのような雄型コネクタ部は、ケーブルの一端が接続されるケーブル収容部および雌型コネクタ部の凹部に選択的に嵌合される嵌合部とを有するコネクタ本体部と、コネクタ本体部におけるケーブル収容部とその嵌合部との間に跨って設けられ、ケーブルの一方の面に形成される信号ラインを上述の雌型コネクタ部のコンタクト端子に接続する複数のコンタクト端子と、ケーブルの両面に形成されるグランドラインにそれぞれ当接しケーブル収容部の外郭を形成するシェルにグランドラインを電気的に接続するグランドプレートとを含んで構成されている。
【０００５】
上述のグランドプレートは、その全体が板状に形成され、ケーブルの一方の面に形成される信号ラインとともに並設される各グランドラインにそれぞれ接続される複数の接触部を有している。グランドプレートの一端は、上述のシェルを介してケーブル収容部に挿入されたケーブルの他方の面に形成されるグランドラインに接続されている。また、グランドプレートの他端は、上述の嵌合部の外周部に露出するように配置されている。従って、雄型コネクタ部におけるケーブル収容部に挿入されたケーブルにおける両面に形成されたグランドラインが、それぞれグランドプレートおよび雌型コネクタ部を介して接地されることとなる。
【０００６】
【特許文献１】特開平１１−２８３７１０号公報
【発明の開示】
【発明が解決しようとする課題】
【０００７】
しかしながら、ケーブル用コネクタにおいて、上述のようなグランドプレートが用いられる場合、グランドプレートが介在することにより、電気的接続経路における接触する接点の数が増えるので接触信頼性が損なわれ、また、ケーブル用コネクタにおける製造コストが嵩むとともに組み立て工数が増すこととなる。
【０００８】
以上の問題点を考慮し、本発明は、少なくともケーブルの一端と配線基板の信号入出力部との間を電気的に接続できるケーブルの接続構造、および、それを備えるケーブル用コネクタであって、ケーブルにおけるグランドラインをより効率よく接地することができ、しかも、その製造コストを低減できるケーブルの接続構造、それを備えるケーブル用コネクタ、および雄型コネクタを提供することを目的とする。
【課題を解決するための手段】
【０００９】
上述の目的を達成するために、本発明に係るケーブルの接続構造は、信号をそれぞれ伝送する複数の信号ラインおよび接地される複数の接地ラインにおける少なくとも一端にそれぞれ形成されるコンタクトパッド群と、コンタクトパッド群に対し共通の平面上に離隔して形成され複数の接地ラインに導通する接地用電極端部と、接地用電極端部がコンタクトパッド群に対して折り曲げられ重なるように接地用電極端部とコンタクトパッド群との間に形成される折り曲げ部とを備える柔軟なケーブルの接地用電極端部およびコンタクトパッド群が相対向して接合される一対の接続面を有する接続端部と、一対の接続面の一方に接合された接地用電極端部に対向して配され、接地用電極端部に当接する接点部を有し信号入出力部に該接地用電極端部を電気的に接続する複数の第１のコンタクト端子と、一対の接続面の他方に接合されたコンタクトパッド群に対向して配されコンタクトパッド群に当接する接点部を有し信号入出力部にコンタクトパッド群を電気的に接続する複数の第２のコンタクト端子と、を備えて構成される。
【００１０】
また、本発明に係るケーブル用コネクタは、信号をそれぞれ伝送する複数の信号ラインおよび接地される複数の接地ラインにおける少なくとも一端にそれぞれ形成されるコンタクトパッド群と、コンタクトパッド群に対し共通の平面上に離隔して形成され複数の接地ラインに導通する接地用電極端部と、接地用電極端部がコンタクトパッド群に対して折り曲げられ重なるように接地用電極端部とコンタクトパッド群との間に形成される折り曲げ部とを備える柔軟なケーブルの接地用電極端部およびコンタクトパッド群が相対向して接合される一対の接続面を有する結合部が設けられる雄型コネクタ部と、雄型コネクタ部の結合部が着脱可能に配される凹部を有する嵌合部と、凹部の周縁に該ケーブルの接地用電極端部およびコンタクトパッド群にそれぞれ対向して配され、接地用電極端部およびコンタクトパッド群に当接する接点部を有し信号入出力部に接地用電極端部および該コンタクトパッド群をそれぞれ電気的に接続する複数の第１のコンタクト端子および第２のコンタクト端子と、を有する雌型コネクタ部とを備えて構成される。
【００１１】
さらに、本発明に係る雄型コネクタは、信号をそれぞれ伝送する複数の信号ラインおよび接地される複数の接地ラインにおける少なくとも一端にそれぞれ形成されるコンタクトパッド群と、コンタクトパッド群に対し共通の平面上に離隔して形成され複数の接地ラインに導通する接地用電極端部と、接地用電極端部が該コンタクトパッド群に対して折り曲げられ重なるように接地用電極端部とコンタクトパッド群との間に形成される折り曲げ部とを備える柔軟なケーブルの接地用電極端部およびコンタクトパッド群が相対向して接合される一対の接続面を有する結合部と、が設けられていることを特徴とする。
【発明の効果】
【００１２】
以上の説明から明らかなように、本発明に係るケーブルの接続構造、それを備えるケーブル用コネクタ、および雄型コネクタによれば、コンタクトパッド群に対し共通の平面上に離隔して形成され複数の接地ラインに導通する接地用電極端部と、接地用電極端部がコンタクトパッド群に対して折り曲げられ重なるように接地用電極端部とコンタクトパッド群との間に形成される折り曲げ部とを備える柔軟なケーブルの接地用電極端部およびコンタクトパッド群が相対向して接合される一対の接続面を有する接続端部と、信号入出力部にケーブルの接地用電極端部を電気的に接続する複数の第１のコンタクト端子と、信号入出力部にケーブルのコンタクトパッド群を電気的に接続する複数の第２のコンタクト端子とを備えるのでケーブルにおけるグランドラインをより効率よく接地することができ、しかも、その製造コストを低減できる。
【発明を実施するための最良の形態】
【００１３】
図３は、本発明に係るケーブルの接続構造の一例が適用されるケーブル用コネクタの外観を示す。
【００１４】
図３において、ケーブル用コネクタは、例えば、電子機器に装備されるパネルディスプレイ部と所定のプリント配線基板とをケーブルを介して電気的に接続するものとされる。
【００１５】
ケーブル用コネクタは、ケーブルとしてのフレキシブル配線基板（ＦＰＣ）１４の他端に接続されている。各信号群を双方向に伝送するフレキシブル配線基板（ＦＰＣ）１４の一端は、パネルディスプレイ部の接続部（不図示）に接続されている。
【００１６】
ケーブル用コネクタは、フレキシブル配線基板１４の他端に接続され、フレキシブル配線基板１４の他端を後述する雌型コネクタに接続する雄型コネクタとしてのアダプタ部１２と、アダプタ部１２のケーブル結合部に固定されるフレキシブル配線基板１４の他端が着脱可能に接続され、フレキシブル配線基板１４の他端を信号入出力部としてのプリント配線基板ＰＢ（図４参照）に電気的に接続する雌型コネクタとしてのアダプタハウジング部１０とを含んで構成されている。
【００１７】
上述のフレキシブル配線基板１４は、例えば、保護層に覆われた複数の導電層が絶縁性基材上の両面に形成された構成とされる。絶縁性基材は、例えば、厚さ５０μｍ程度の液晶ポリエステル（ＬＣＰ）、ガラスエポキシ樹脂、ポリイミド（ＰＩ）、ポリエチレンテレフタレート（ＰＥＴ）、あるいは、ポリエーテルイミド（ＰＥＩ）で成形されている。保護層は、例えば、熱硬化型のレジスト層、あるいは、ポリイミドフィルムにより形成されている。なお、フレキシブル配線基板１４の両端部の構造は、それぞれ、互いに同一の構造を有するので一方の端部についてのみ説明し、他方の端部についての説明を省略する。
【００１８】
複数の導電層は、例えば、銅合金の層で絶縁性基材の一方の表面１４ＬＡに形成され、図１に示されるように、複数の信号ライン群１４ＳＬ１，１４ＳＬ２，１４ＳＬ３，１４ＳＬ４、および１４ＳＬ５をフレキシブル配線基板１４の幅方向に沿って所定の間隔で互いに平行に有している。信号ライン群１４ＳＬ１，１４ＳＬ２，１４ＳＬ３，１４ＳＬ４は、比較的高周波数帯域の信号を双方向に伝送するものとされ、また、信号ライン群１４ＳＬ５は、その周波数帯域よりも低い周波数帯域の信号を双方向に伝送するものとされる。さらに、フレキシブル配線基板１４における幅方向における一方の端には、信号ライン群１４ＳＬ１に隣接して接地ライン１４Ｇａが略平行に形成されている。さらにまた、信号ライン群１４ＳＬ１と信号ライン群１４ＳＬ２との間、信号ライン群１４ＳＬ２と信号ライン群１４ＳＬ３との間、信号ライン群１４ＳＬ３と信号ライン群１４ＳＬ４との間、および、信号ライン群１４ＳＬ４と信号ライン群１４ＳＬ５との間には、それぞれ、接地ライン１４Ｇｂ、接地ライン１４Ｇｃ、接地ライン１４Ｇｄ、および、接地ライン１４Ｇｅが互いに略平行に形成されている。
【００１９】
また、上述の保護層により覆われる部分１４ＣＡにおける接地ライン１４Ｇａ、接地ライン１４Ｇｂ、接地ライン１４Ｇｃ、接地ライン１４Ｇｄ、接地ライン１４Ｇｅ、および、複数の信号ラインの途中には、斯かる導電層と、積層される他の導電層（不図示）とを内部導通させるバンプ、またはめっきスルーホール、はんだスルーホールなどの接続層１４ｂｉが形成されている。これにより、接地ライン１４Ｇａ，接地ライン１４Ｇｂ、接地ライン１４Ｇｃ、接地ライン１４Ｇｄ、および接地ライン１４Ｇｅは、接続層１４ｂｉおよび他の導電層を介してフレキシブル配線基板１４における絶縁性基材の一方の表層１４ＬＡにおいて最も端に形成される接地用電極端部１４ＧＡに電気的に接続されている。
【００２０】
各信号ライン群１４ＳＬ１〜１４ＳＬ５の一方の端部には、上述の保護層により覆われる部分１４ＣＡの端部から外部に露出したコンタクトパッド群１４ＰＡが形成されている。また、各接地ライン１４Ｇａ〜１４Ｇｅの一方の端部にも、コンタクトパッドが同様に形成されている。コンタクトパッド群１４ＰＡを構成する各コンタクトパッドは、後述する選択的に当接する各コンタクト端子が電気的に接続される。
【００２１】
接地用電極端部１４ＧＡは、コンタクトパッド群１４ＰＡに対し共通の平面上であって所定距離、離隔した位置にフレキシブル配線基板１４の幅方向に沿って略長方形に一方の端から他方に端まで広がっている。また、接地用電極端部１４ＧＡは、後述する選択的に当接する各コンタクト端子が電気的に接続される。
【００２２】
接地用電極端部１４ＧＡとコンタクトパッド群１４ＰＡとの間に形成される折り曲げ部分１４ＢＰは、柔軟性を有し接地用電極端部１４ＧＡがコンタクトパッド群１４ＰＡが形成される側に対して折り畳み可能となるようにその幅方向に細長く形成されている。
【００２３】
図２は、フレキシブル配線基板１４における絶縁性基材の他方の表層側の外面を示している。図２において、フレキシブル配線基板１４の外面における上述の接地用電極端部１４ＧＡとコンタクトパッド群１４ＰＡとの間に形成される折り曲げ部分１４ＢＰに対応した位置は、柔軟性を有し接地用電極端部１４ＧＡがコンタクトパッド群１４ＰＡが形成される側に対して折り畳み可能となるようにその幅方向に細長く形成されている。また、接地用電極端部１４ＧＡに相対向し、折り曲げ部分１４ＢＰに対応した位置に隣接する部分には、後述する接着剤が塗布される接着剤塗布面１４ＡＤが形成されている。
【００２４】
アダプタ部１２は、例えば、樹脂材料で成形され、図１０（Ａ）に示されるように、フレキシブル配線基板１４を結合する薄板状の結合部１２Ｂと、結合部１２Ｂの両端にそれぞれ一体に形成されアダプタハウジング部１０の凹部に挿入される案内ピン１２ＰＡ，１２ＰＢと、案内ピン１２ＰＡ，１２ＰＢの一方の端部にそれぞれ一体に形成され、後述のロックスプリング１６Ａ，１６Ｂの動作を制御する操作部１２ＬＡ、１２ＬＢと、操作部１２ＬＡと操作部１２ＬＢとを結合する板状部１２Ａとを含んで構成されている。
【００２５】
結合部１２Ｂは、フレキシブル配線基板１４の接着剤塗布面１４ＡＤが接着される接続面としての被接着面１２Ｂｂおよびそれに相対向するフレキシブル配線基板１４の載置面１２Ｂａを有し
接続端部としての結合部１２Ｂと板状部１２Ａとの間には、図９および図１０（Ａ）に示されるように、結合されるフレキシブル配線基板１４の端部が通過する隙間１２Ｒが形成されている。
【００２６】
案内ピン１２ＰＡ，１２ＰＢは、互いに同一の構造を有するので案内ピン１２ＰＡについて説明し、案内ピン１２ＰＢについての説明を省略する。
【００２７】
尖頭状の端部を一方に有する案内ピン１２ＰＡは、図７に示されるように、その側面に、その内部に配される後述のロックスプリング１６Ｂの爪部が貫通するスリット１２Ｓを有している。案内ピン１２ＰＢおよび操作部１２ＬＡの内側には、ロックスプリング収容部１２ｋが形成されている。ロックスプリング収容部１２ｋは、ロックスプリング１６Ｂが挿入される開口端およびスリット１２Ｓを通じて外部に連通している。操作部１２ＬＡの一端は、案内ピン１２ＰＡの基部近傍に一体に形成され、一方、操作部１２ＬＡの他端は、その外周部が図７において矢印が示す方向に押圧される場合、矢印が示す方向に移動可能に形成されている。
【００２８】
ロックスプリング収容部１２ｋの内周面には、装着されたロックスプリング１６Ｂの湾曲部に当接する押圧部が形成されている。その押圧部は、操作部１２ＬＡがロックスプリング１６Ｂの湾曲部の弾性力に抗して図７において矢印が示す方向に押圧操作される場合、ロックスプリング１６Ｂの湾曲部および爪部１６ｎを矢印の示す方向に移動させるように移動され、一方、操作部１２ＬＡにおける押圧操作が解放される場合、押圧部は、ロックスプリング１６の湾曲部の復元力により初期の状態に戻される。
【００２９】
スリット１２Ｓには、ロックスプリング１６Ｂの爪部１６ｎの先端が外部に向けて突出している。ロックスプリング１６Ｂは、ロックスプリング収容部１２ｋに固定される固定部と、後述するアダプタハウジング部１０の凹部の内周部に形成される孔の周縁に選択的に係合される爪部１６ｎと、弾性を有し固定部と爪部１６ｎとを連結する湾曲部とを含んで構成されている。ロックスプリング１６Ｂの爪部１６ｎは、その湾曲部の移動に応じて
スリット１２Ｓを介して突出する上述の孔の周縁に対する係合状態、または、ロックスプリング収容部１２ｋ内に引き込まれる非係合状態をとる。
【００３０】
板状部１２Ａの両端は、それぞれ、操作部１２ＬＡ、１２ＬＢの一端に連なる部分に一体に連結されている。板状部１２Ａは、接続されたフレキシブル配線基板１４の端部の載置面１２Ｂａからの剥がれを防止する役目も果たすものとされる。
【００３１】
アダプタハウジング部１０は、図６に示されるように、中央部に結合部１２Ｂおよびフレキシブル配線基板１４の端部と所定の隙間をもって嵌まり合う嵌合部と、上述の操作部１２ＬＡ、１２ＬＢ、ロックスプリング１６Ａおよび１６Ｂと協働してフレキシブル配線基板１４の端部を選択的にロック状態またはアンロック状態とするロック／アンロック機構部とを含んで構成されている。
【００３２】
上述の嵌合部は、アダプタ部１２の結合部１２Ｂおよびフレキシブル配線基板１４の端部を収容する凹部１０Ａを有している。
【００３３】
嵌合部の凹部１０Ａの周縁には、フレキシブル配線基板１４の接地ライン１４Ｇａ〜１４Ｇｅに電気的に接続される接地用電極端部１４ＧＡに当接し電気的接続を行なうコンタクト端子１８ａｉ（ｉ＝１〜１０）と、信号ライン群１４ＳＬ１〜１４ＳＬ５に対応するコンタクトパッド群１４ＰＡに当接し電気的接続を行なうコンタクト端子２０ａｉ（ｉ＝１〜ｎ、ｎは正の整数）とが設けられている。
【００３４】
コンタクト端子１８ａｉの基部は、図６において、アダプタハウジング部１０の外郭部を形成する金属製のシェルと一体に形成され、所定の間隔で紙面に対し垂直方向に配列されている。金属製のシェルは、上述のプリント配線基板ＰＢの接地ラインに導通するように半田付け固定される。各コンタクト端子１８ａｉの接点部は、弾性を有し凹部１０Ａ内に向けて突出している。
【００３５】
また、コンタクト端子２０ａｉは、コンタクト端子１８ａｉに相対向して配され図６において、コンタクト端子１８ａｉの間隔よりも短い所定の間隔で紙面に対し垂直方向に配列されている。各コンタクト端子２０ａｉの半田付固定端子部は、図５および図６に示されるように、コンタクト端子１８ａｉの基部の下方を通過して外部に向けて突出している。各コンタクト端子２０ａｉの半田付固定端子部は、上述のプリント配線基板ＰＢの信号ラインに導通するように半田付け固定される。各コンタクト端子２０ａｉの接点部は、弾性を有し凹部１０Ａ内に向けて突出している。
【００３６】
これにより、嵌合部の凹部１０Ａの収容されたフレキシブル配線基板１４の端部におけるコンタクトパッド群１４ＰＡおよび接地用電極端部１４ＧＡは、コンタクト端子１８ａｉおよびコンタクト端子２０ａｉの接点部により挟持され、電気的に接続されることとなる。
【００３７】
嵌合部の凹部１０Ａにおけるアダプタ部１２の案内ピン１２ＰＡ，１２ＰＢに対応した両側部には、それぞれ、案内ピン１２ＰＡ，１２ＰＢの先端を位置決めする位置決め部が形成されている。
【００３８】
ロック／アンロック機構部は、図７に示されるように、接続部の凹部１０Ａの各位置決め部近傍に形成される透孔１０ｎと、上述のロックスプリング１６Ａおよび１６Ｂの各爪部１６ｎとにより形成されている。
【００３９】
斯かる構成において、フレキシブル配線基板１４の端部が接続されたアダプタ部１２をアダプタハウジング部１０に接続するにあたっては、アダプタ部１２の案内ピン１２ＰＡ，１２ＰＢがアダプタハウジング部１０の位置決め部に位置決めされながらフレキシブル配線基板１４の端部がコンタクト端子１８ａｉおよびコンタクト端子２０ａｉの接点部相互間に挿入される。その際、ロックスプリング１６Ａおよび１６Ｂの各爪部１６ｎは、一旦、ロックスプリング収容部１２ｋ内に向けて付勢された後、透孔１０ｎに向けて突出し各爪部１６ｎが透孔１０ｎの周縁に係合することにより、アダプタ部１２がアダプタハウジング部１０に対しロック状態に保持される。一方、アダプタ部１２をアダプタハウジング部１０から取り外すにあたっては、操作部１２ＬＡ、１２ＬＢの他端が互いに近接する方向に押圧され、各爪部１６ｎが透孔１０ｎの周縁に対し非係合状態とされた後、アダプタ部１２が引き離される。これにより、アダプタ部１２がアダプタハウジング部１０から取り外される。
【００４０】
フレキシブル配線基板１４の端部をアダプタ部１２に結合するにあたっては、先ず、フレキシブル配線基板１４の端部が、図１０（Ｂ）に示されるように、隙間１２Ｒを通じて挿入された後、フレキシブル配線基板１４の折り曲げ部分１４ＢＰが結合部１２Ｂの端部に当接され、ニ点鎖線で示されるように、接地用電極端部１４ＧＡが下方に向けて折り曲げられる。次に、フレキシブル配線基板１４の接着剤塗布面１４ＡＤが、塗布された所定の接着剤で被接着面１２Ｂｂに接着される。これにより、図８および図１０（Ｃ）に示されるように、フレキシブル配線基板１４の端部がアダプタ部１２に結合されることとなる。
【００４１】
従って、フレキシブル配線基板１４の端部がアダプタ部１２に簡単な接着作業で結合され、しかも、信号ライン群および接地ラインがそれぞれフレキシブル配線基板１４の端部の両面に形成されることとなる。また、従来技術のようなグランドプレートを介在させる必要がないので電気的接続における信頼性を高めるとともに、信号伝送における損失を低減することができる。
【００４２】
なお、上述の例においては、用いられるフレキシブル配線基板１４における複数の信号ライン群１４ＳＬ１〜１４ＳＬ５および接地ライン１４Ｇａ〜１４Ｇｅが、接地用電極端部１４ＧＡと共通の平面上に形成されているが、斯かる例に限られることなく、例えば、図１１および図１２に示されるように、フレキシブル配線基板２４における信号ライン群２４ＳＬｉ（ｉ＝１〜ｎ，ｎは正の整数）が形成される平面と共通の平面の両端部に、それぞれ、折り曲げ部分２４ＢＰを介して千鳥掛け状に形成される他の信号ライン群２４ＡＳＬｉおよび２４ＢＳＬｉ（ｉ＝１〜ｎ，ｎは正の整数）が形成されるものでもよい。
【００４３】
図１１において、フレキシブル配線基板２４は、上述のフレキシブル配線基板１４と同様に、例えば、保護層に覆われた複数の導電層が絶縁性基材上の両面に形成された構成とされる。なお、フレキシブル配線基板２４の両端部の構造は、それぞれ、互いに同一の構造を有するので一方の端部についてのみ説明し、他方の端部についての説明を省略する。
【００４４】
複数の導電層は、例えば、銅合金の層で絶縁性基材の一方の表層２４ＬＡに形成され、信号ライン群２４ＳＬｉを構成する信号ラインをフレキシブル配線基板２４の幅方向に沿って所定の間隔で互いに平行に有している。
【００４５】
各信号ライン群２４ＳＬｉの一方の端部には、上述の保護層により覆われる部分２４ＣＡの端部から外部に露出したコンタクトパッド群２４ＰＡが信号ライン群２４ＳＬｉに対応して形成されている。コンタクトパッド群２４ＰＡを構成する各コンタクトパッドは、選択的に当接する各コンタクト端子（不図示）が電気的に接続される。
【００４６】
他の信号ライン群２４ＡＳＬｉおよび２４ＢＳＬｉは、共通の平面上においてコンタクトパッド群２４ＰＡに対し所定距離、離隔した位置に、フレキシブル配線基板２４の幅方向に沿って互いに平行に形成されている。また、信号ライン群２４ＡＳＬｉおよび２４ＢＳＬｉは、上述の各コンタクト端子に対向する他のコンタクト端子群に電気的に接続される。
【００４７】
信号ライン群２４ＡＳＬｉおよび２４ＢＳＬｉとコンタクトパッド群２４ＰＡとの間に形成される折り曲げ部分２４ＢＰは、信号ライン群２４ＡＳＬｉおよび２４ＢＳＬｉが形成される端部がコンタクトパッド群２４ＰＡが形成される側に対して折り畳み可能となるようにその幅方向に細長く、柔軟性を有している。
【００４８】
図１２は、上述の信号ライン群２４ＡＳＬｉおよび２４ＢＳＬｉを構成する信号ラインが、それぞれ、バンプまたはめっきスルーホール、はんだスルーホールなどの接続層Ｂｕａ、Ｂｕｂを介して接続される他の導電層２４ＭＬを示す。その他の導電層は、例えば、上述の導電層の下方に積層形成されている。
【００４９】
導電層２４ＭＬは、上述の信号ライン群２４ＡＳＬｉおよび２４ＢＳＬｉに接続層Ｂｕａ、Ｂｕｂを介して電気的に接続される信号ライン群２４ＡＭＬｉおよび２４ＢＭＬｉ（ｉ＝１〜ｎ，ｎは正の整数）が千鳥掛け状に形成されている。
【００５０】
これにより、信号ライン群２４ＡＳＬｉおよび２４ＢＳＬｉの高密度化を図ることができる。
【００５１】
フレキシブル配線基板２４における絶縁性基材の他方の表層側の外面において、上述の折り曲げ部分２４ＢＰに対応した位置は、フレキシブル配線基板２４の最端部がコンタクトパッド群２４ＰＡが形成される側に対して折り畳み可能となるようにその幅方向に細長く、柔軟性を有している。また、信号ライン群２４ＡＳＬｉおよび２４ＢＳＬｉに相対向し、折り曲げ部分１４ＢＰに対応した位置に隣接する部分には、接着剤が塗布される接着剤塗布面（不図示）が形成されている。
【００５２】
これにより、上述の例と同様に、フレキシブル配線基板２４の端部が、隙間１２Ｒを通じて挿入された後、フレキシブル配線基板２４の折り曲げ部分２４ＢＰが結合部１２Ｂの端部に当接され、ニ点鎖線で示されるように、その端部が下方に向けて折り曲げられる。次に、フレキシブル配線基板２４の接着剤塗布面が、塗布された所定の接着剤で被接着面１２Ｂｂに接着される。従って、フレキシブル配線基板２４がアダプタ部１２に結合されることとなる。
【００５３】
なお、上述の例においては、本発明に係るケーブルの接続構造の一例がフレキシブル配線基板に適用されたが、必ずしもフレキシブル配線基板に限定されることなく、例えば、
フラットケーブル（ＦＦＣ）等の他の柔軟性のあるケーブルにも適用されてもよいことは勿論である。
【図面の簡単な説明】
【００５４】
【図１】本発明に係るケーブルの接続構造の一例に用いられるフレキシブル配線基板の一方側の面に形成される信号ラインおよび接地ラインの構成を示す平面図である。
【図２】図１に示されるフレキシブル配線基板の他方の外面を示す平面図である。
【図３】本発明に係るケーブル用コネクタの一例を示す斜視図である。
【図４】図３に示される例における正面図である。
【図５】図３に示される例における上面図である。
【図６】図４におけるＶＩ−ＶＩ線に沿って示される断面図である。
【図７】図５におけるＶＩＩ−ＶＩＩ線に沿って示される断面図である。
【図８】図３に示される例におけるアダプタ部を、フレキシブル配線基板とともに示す平面図である。
【図９】図８におけるＶＩＩＩ−ＶＩＩＩ線に沿って示される断面図である。
【図１０】（Ａ），（Ｂ）、（Ｃ）は、それぞれ、フレキシブル配線基板のアダプタ部に対する接続作業の説明に供される斜視図である。
【図１１】本発明に係るケーブルの接続構造の一例に用いられる他のフレキシブル配線基板の一方側の面に形成される信号ラインの構成を示す平面図である。
【図１２】図１１に示される例において形成される他の導電層を示す断面図である。
【符号の説明】
【００５５】
１０    アダプタハウジング部
１０Ａ    凹部
１２    アダプタ部
１４、２４    フレキシブル配線基板
１４Ｇａ、１４Ｇｂ、１４Ｇｃ、１４Ｇｄ、１４Ｇｅ    接地ライン
１４ＳＬ１、１４ＳＬ２、１４ＳＬ３、１４ＳＬ４、１４ＳＬ５    信号ライン群
１４ＧＡ    接地用電極端部
１４ＡＤ    接着剤塗布面
１４ＢＰ    折り曲げ部分
１４ＰＡ    コンタクトパッド群
ＰＢ    プリント配線基板
【図１】
2007299683.tif 000003
【図２】
2007299683.tif 000004
【図３】
2007299683.tif 000005
【図４】
2007299683.tif 000006
【図５】
2007299683.tif 000007
【図６】
2007299683.tif 000008
【図７】
2007299683.tif 000009
【図８】
2007299683.tif 000010
【図９】
2007299683.tif 000011
【図１０】
2007299683.tif 000012
【図１１】
2007299683.tif 000013
【図１２】
2007299683.tif 000014